(57)【要約】【課題】配線取り出し口の形成位置に対する自由度の高い配線用床材を提供する。【解決手段】配線用溝２を隔てて、配列され、平坦面からなる天面５を有する複数の単位体３と、前記配線用溝２に蓋体として装着され、前記天面５と同一面を形成するカバー部材９とを有し、前記カバー部材９が、周縁部に半円状の第１の穴部ｈ１を有するとともに、前記単位体が、周縁部に半円状の第２の穴部ｈ２を有し、前記カバー部材および前記単位体が、その当接部で、前記第１および第２の穴部ｈ１、ｈ２が連通することで通線口ｈを生成可能に形成される。【選択図】図１
2011047156.tif 000002
【特許請求の範囲】
【請求項１】
配線用溝を隔てて、配列され、平坦面からなる天面を有する複数の単位体と、
前記配線用溝に蓋体として装着され、前記天面と同一面を形成するカバー部材とを有し、
前記カバー部材が、周縁部に半円状の第１の穴部を有するとともに、
前記単位体が、周縁部に半円状の第２の穴部を有し、
前記カバー部材および前記単位体が、その当接部で、前記第１および第２の穴部が連通することで通線口を生成可能に形成された配線用床材。
【請求項２】
請求項１に記載の配線用床材であって、
前記カバー部は、
十字状のクロスカバー部と、
前記クロスカバー部の端面に、１辺が当接して設けられた４つのストレートカバー部とで構成され、
前記単位体と当接する、前記ストレートカバー部の側縁に前記第１の穴部が形成された配線用床材。
【請求項３】
請求項２に記載の配線用床材であって、
前記単位体と当接する、前記クロスカバー部の側縁に前記第１の穴部が形成された配線用床材。
【請求項４】
請求項２または３に記載の配線用床材であって、
前記ストレートカバー部と当接する、前記クロスカバー部の端縁に第３および第４の穴部が形成され、
第３および第４の穴部が連通することで通線口を形成可能に形成された配線用床材。
【請求項５】
請求項１に記載の配線用床材であって、
前記カバー部は、
十字状のクロスカバー部で構成され、
前記単位体と当接する、前記クロスカバー部の側縁に前記第１の穴部が形成された配線用床材。
【請求項６】
請求項１乃至４のいずれかに記載の配線用床材であって、
前記ストレートカバー部の少なくとも一つが複数に分割されたカバー片で構成され、前記カバー片が回動可能に構成されており、
前記通線口は、前記カバー片の少なくとも一つを回動することによって形成される配線用床材。
【請求項７】
請求項１乃至４のいずれかに記載の配線用床材であって、
前記ストレートカバー部の少なくとも一つが複数に分割されたカバー片で構成され、前記カバー片が変位可能に構成されており、
前記通線口は、前記カバー片の少なくとも一つを変位することによって形成される配線用床材。
【発明の詳細な説明】
【技術分野】
【０００１】
本発明は、配線用床材に係り、特にオフィスなどで二重床内部に敷設された配線や配管などの配線類を必要とされる位置に応じて立ち上げ或いは引き出すことができる配線用床材に関する。
【背景技術】
【０００２】
近年、オフィス等においてＯＡ機器の使用増大に伴い、それらの配線処理や管理・マネジメントの必要性が高まり、二重床パネルなど床置きタイプのフロアパネルの利用が拡大している。この床置きタイプのフロアパネルを用いることにより、レイアウトに応じてユーザーの必要とする使い勝手のよい床位置にある二重床面から配線類を取り出し、種々の配線器具類等を自在に設けることができるようになっている。また、特に配線類をＯＡ機器の近くや、机・壁・柱回り等に立ち上げる、例えばＯＡタップ等に接続するために配線を二重床内部から立ち上げる必要性がある場合が多い。
【０００３】
例えば、複数の支持体により内部に配線類空間が形成される二重床用構造体であって、該二重床用構造体の上面に配線類引出用領域が所定間隔毎に設けられ、該配線類引出用領域の少なくとも一部が打抜或いは切除で開口可能なものが提案されている（特許文献１）。
この二重床用構造体では、例えば、図１５および図１６に要部拡大図を示すように、天板付き単位体１０３が配線用溝を隔てて配列され、この配線用溝をクロスカバー部１１０と、ストレートカバー部１１１とでカバーして構成されている。図１６は図１５のストレートカバー部１１１のひとつを並べ替えた状態を示す図である。ここで、ケーブル用の引き出し穴１０１は直径１２ｍｍのものが最多４か所／パネルであり、図１６のようにストレートカバー部１１１のひとつを並べ替えることで、ひとつの引き出し穴１０１から１本のケーブルのみを取り出せる構造である。一方、学校のパソコン教室などでは一度に複数のケーブルを引き出したいという要望も出てきており、現場では、トレンチカバーを切断加工してケーブル引き出し用開口部を設けるなど、現場対応をしている状態であった。
【０００４】
以上のように、この種の技術においては上記の各構造による対応で、施工の困難性、部品点数の増加、配線立上の取り扱いが面倒である等の問題は残るものの、床パネル、配線器具において配線の立ち上げ、引き出しを可能にしている。
【０００５】
また、施工スピードをアップするために、図１７および図１８に示すように、クロスカバー部１１０と、ストレートカバー部１１１などのカバー中心から偏心した位置に半円形通線口を設けた構造も提案されている（特許文献２）。図１７は通線口を形成しない場合、図１８は半円形通線口をあわせて円形通線口を形成し、ケーブル引き出しを可能にした場合を示す図である。この場合、図１９（ａ）および（ｂ）にそれぞれストレートカバー部１１１およびクロスカバー部１１０を示すように、それぞれ複数個（ここでは２個）の半円形通線口（引き出し穴）１０１を形成している。しかしながら、図１８に示すように、Ａで示す部分に円形通線口を形成するつもりが、Ｂに示す部分にも円形通線口が形成されてしまうことがあった。
【０００６】
そこで、図２０および図２１に示すように、カバー１つにつき１個カバー穴を形成した形状を持つ二重床用構造体も提案されている（特許文献３）。図２０は通線口を形成しない場合、図２１は半円形通線口をあわせて円形通線口を形成し、ケーブル引き出しを可能にした場合を示す図である。この場合、図２２（ａ）および（ｂ）にそれぞれストレートカバー部１１１およびクロスカバー部１１０を示すように、それぞれ１個の半円形通線口１０１を形成している。この場合は、図２１に示すように、Ａで示す部分に円形通線口を形成することができる。
【先行技術文献】
【特許文献】
【０００７】
【特許文献１】特開２００１−０９０３２５号公報
【特許文献２】実開平  ０６−０１８５３６号公報
【特許文献３】特開平  ０７−１５８２３８号公報
【発明の概要】
【発明が解決しようとする課題】
【０００８】
しかしながら、上記従来技術では以下のような問題がある。
特許文献１の二重床用構造体の場合は、敷設作業に時間がかかり、作業性が十分でないという問題がある。
上記特許文献２のように、カバー中心から偏心した位置に半円形通線口を設けた構造では、通線口を形成するためにトレンチカバーを回転させると、意図しない部分にも半円形通線口が出現してしまう場合がある。
また、特許文献３の二重床用構造体の場合、ストレートカバー部１１１の形状つまり半円の切り欠きの位置が一種類であれば、通線口はストレートカバー部１１１とクロスカバー部１１０に接する所からのみ取り出しが可能で、配線取り出し口がカバー部つまり、パネルの中央に限定されることになる。
【０００９】
本発明は、前記実情に鑑みてなされたものであって、敷設方向の制限をなくし、敷設作業性を高めることを目的とする。
また本発明は、通線口を設けたり解除したりする際に周囲に不用意に通線口を形成することのない配線用床材を提供することを目的とする。
さら本発明は、配線取り出し口の形成位置に対する自由度の高い配線用床材を提供することを目的とする。
【課題を解決するための手段】
【００１０】
本発明の配線用床材は、配線用溝を隔てて、配列され、平坦面からなる天面を有する複数の単位体と、前記配線用溝に蓋体として装着され、前記天面と同一面を形成するカバー部材とを有し、前記カバー部材が、周縁部に半円状の第１の穴部を有するとともに、前記単位体が、周縁部に半円状の第２の穴部を有し、前記カバー部材および前記単位体が、その当接部で、前記第１および第２の穴部が連通することで通線口を生成可能に形成されたことを特徴とする。
この構成により、通線口がパネル本体である単位体と、カバー部材との間に形成される構造であるため、カバー部材の回動によって容易に通線口を生成することができる。また、通線口の形成位置が、中心部に限定されることなく、周辺部にも形成でき、配線取り出し口の形成位置に自由度を得ることができる。
【００１１】
本発明は、上記配線用床材において、前記カバー部は、十字状のクロスカバー部と、前記クロスカバー部の端面に、１辺が当接して設けられた４つのストレートカバー部とで構成され、前記単位体と当接する、前記ストレートカバー部の側縁に前記第１の穴部が形成されたものを含む。
この構成により、容易に周辺部に配線取り出し口を形成することができ、形成位置に自由度を得ることができる。
【００１２】
本発明は、上記配線用床材において、前記単位体と当接する、前記クロスカバー部の側縁に前記第１の穴部が形成されたものを含む。
この構成により、容易に中央部に配線取り出し口を形成することができ、形成位置に自由度を得ることができる。
【００１３】
本発明は、上記配線用床材において、前記ストレートカバー部と当接する、前記クロスカバー部の端縁に第３および第４の穴部が形成され、第３および第４の穴部が連通することで通線口を形成可能に形成されたものを含む。
この構成により、ストレートカバー部と前記クロスカバー部との当接部にも通線口を形成することができ、形成位置により自由度が高くなる。
【００１４】
本発明は、上記配線用床材において、前記カバー部は、十字状のクロスカバー部で構成され、前記単位体と当接する、前記クロスカバー部の側縁に前記第１の穴部が形成されたものを含む。
この構成により、通線口の形成位置に自由度を高めつつ、部品点数を少なくすることができる。
【００１５】
本発明は、上記配線用床材において、前記ストレートカバー部の少なくとも一つが複数に分割されたカバー片で構成され、前記カバー片が回動可能に構成されており、前記通線口は、前記カバー片の少なくとも一つを回動することによって形成されるものを含む。
この構成により、動かす対象がカバー片であり、小さいために、取扱が容易である。
【００１６】
本発明は、上記配線用床材において、前記ストレートカバー部の少なくとも一つが複数に分割されたカバー片で構成され、前記カバー片が変位可能に構成されており、前記通線口は、前記カバー片の少なくとも一つを変位することによって形成されるものを含む。
この構成により、動かす対象がカバー片であり、小さいために、取扱が容易である。
【発明の効果】
【００１７】
以上説明してきたように、本発明によれば、通線口がパネル本体である単位体と、カバー部材との間に形成される構造であるため、カバー部材の回動によって容易に通線口を生成することができる。また、通線口の形成位置が、中心部に限定されることなく、周辺部にも形成でき、配線取り出し口の形成位置に自由度を得ることができる。
また、周囲のカバー部材の向きに依存することなく、たとえばストレートカバー部の反転のみで通線口を形成することができる。
また、通線口の位置は、パネル中央に集中することなく配置され、配線取り出しの自由度が向上する。
【図面の簡単な説明】
【００１８】
【図１】本実施の形態１の配線用床材を示す１単位の斜視図
【図２】本実施の形態１の配線用床材を用いて３本の配線ケーブルを取り出した状態を示す図
【図３】本実施の形態１のカバー部材の斜視図
【図４】本実施の形態１のカバー部材を構成する部品の上面図であり、（ａ）はストレートカバー部を示す図、（ｂ）はクロスカバー部を示す図
【図５】本実施の形態１のカバー部材を外した状態を示す斜視図
【図６】本実施の形態１のカバー部材を外した状態の全体配線図を示す図
【図７】本実施の形態２の配線用床材の上面図であり、配線ケーブルを引き出さない状態を示す図
【図８】本実施の形態２の配線用床材の上面図であり、配線ケーブルを引き出すための通線口を形成した状態を示す図
【図９】本実施の形態３の配線用床材の上面図であり、配線ケーブルを引き出さない状態を示す図
【図１０】本実施の形態３の配線用床材の上面図であり、配線ケーブルを引き出すための通線口を形成した状態を示す図
【図１１】本実施の形態４の配線用床材の上面図であり、配線ケーブルを引き出さない状態を示す図
【図１２】本実施の形態４の配線用床材の上面図であり、配線ケーブルを引き出すための通線口を形成した状態を示す図
【図１３】本実施の形態５の配線用床材の上面図であり、配線ケーブルを引き出さない状態を示す図
【図１４】本実施の形態５の配線用床材の上面図であり、配線ケーブルを引き出すための通線口を形成した状態を示す図
【図１５】従来例の配線用床材を示す図
【図１６】従来例の配線用床材を示す図
【図１７】従来例の配線用床材を示す図
【図１８】従来例の配線用床材を示す図
【図１９】従来例の配線用床材を示す図
【図２０】従来例の配線用床材を示す図
【図２１】従来例の配線用床材を示す図
【図２２】従来例の配線用床材を示す図
【発明を実施するための形態】
【００１９】
以下、本発明の実施の形態について図面を参照しつつ詳細に説明する。図１は本実施の形態の配線用床材を示す１単位の斜視図、図２は、同配線用床材を用いて１本の配線ケーブルを取り出した状態を示す図、図３は、カバー部材の斜視図、図４（ａ）および（ｂ）はカバー部材の構成パーツを示す図であり、（ａ）はストレートカバー部、（ｂ）はクロスカバー部である。図５はこの配線用床材のカバー部材を外した状態を示す斜視図、図６は、カバー部材を外した状態の室内配線の全体配線図を示す図である。
この配線用床材は、配線用溝２を隔てて、配列され、平坦面からなる天板５を有する複数の単位体３と、前記配線用溝２に蓋体として装着され、前記天面と同一面を形成するカバー部材９とを有し、このカバー部材９が、十字状のクロスカバー部１０と、前記クロスカバー部の端面に、１辺が当接して設けられた４つのストレートカバー部１１とを具備し、前記ストレートカバー部１１が、周縁部（ここでは側縁）に半円状の第１の穴部ｈ１を有するとともに、単位体３が、周縁部に半円状の第２の穴部ｈ２を有し、ストレートカバー部１１および単位体３が、その当接部で、前記第１および第２の穴部ｈ１、ｈ２が連通することで通線口ｈを生成可能に形成されている。図３におけるクロスカバー部１０の切り欠きｋは回転時などにおける取り出し作業性向上のために設けられたものである。
【００２０】
本実施の形態の配線用床材１は、図１に示すように、フリーアクセスフロア置き敷きタイプの溝型フロアパネルを構成するものであり、部屋のフロア全体或いは一部に縦横に延びるように配線用溝２が形成され、全体が同じ表面高さとなった方形の配線用フロアパネルを構成する。全体図を、図６に示すように、分電室６０から導出された配線用のケーブルを、配線用溝２を通して室内に張り巡らし、カバー部材の４つのストレートカバー部１１の回転により、方向を変えることで、ストレートカバー部１１の第１の穴部ｈ１と、単位体３の第２の穴部ｈ２が、その当接部で、連通することで通線口ｈを生成することで、ここから配線ケーブルを導出できるようにしたものである。
【００２１】
この配線用床材１は、これを１つの床ユニットとしてこれを複数配設して構成される。この天板付きの単位体３は、天板５下面の４隅から夫々脚部６を垂下して構成されている。そして配線用溝２の開口にはカバー部材９が着脱自在に装着され、下部に底板部が設けられている。そして、複数の小単位体を縦横格子状に配置することで配線用溝２を一定ピッチで縦横格子状に形成できるようになっている。
【００２２】
配線用溝２のカバー部材９は、その上方から配線用溝２の内部を透視できるように透明或いは半透明の樹脂材料などで構成される。そこでカバー部材９を透明、或いは半透明材料で形成してどこに接続機器があるか一目でわかるようになっている。フリーアクセスフロアでは、配線替えが容易であることが重要課題の１つであるが、この構成によれば、配線用溝２にカバー部材９を配置したままでも配線用溝２内の配線状態がわかるため、配線替えの際にはどこにどの接続機器があるのか理解することができ、当該部分のカバー部材を配線周辺の配線用溝２のカバー部材９を取外すことなく配線替えを行うことができる。
【００２３】
このカバー部材９は、図１乃至６に示すように、縦横の交差部２ａに装着されるクロスカバー部１０と、交差部２ａ以外の溝部２ｂに装着されるストレートカバー部１１とで構成されている。そして、クロスカバー部１０の一辺のサイズはストレートカバー部１１の短手方向の一辺すなわちストレートカバー部の幅と同一となっている。
【００２４】
また、天板付き単位体３の天板５は、図６に示すように、ストレートカバー部１１の縦寸法と同一寸法の正方形状に形成される。本実施の形態では、ストレートカバー部の幅は１６５ｍｍ程度、１単位の幅は５００ｍｍ程度に設定されており、これら床ユニットを複数並べて溝付き単位体の配線用溝２が縦横に交差するようにして本発明の実施の形態１の配線用床材１が形成される。
なお、各床ユニットへの天板付き単位体３の天板５あるいはカバー部の固定については図示しない小突起と凹部との係合により、行うようにしてもよい。
【００２５】
この構成によれば、通線口がパネル本体である単位体３と、カバー部材９との間に形成される構造であるため、カバー部材の回動によって容易に通線口を生成することができる。また、通線口の形成位置が、中心部に限定されることなく、周辺部にも形成でき、配線取り出し口の形成位置に自由度を得ることができる。
【００２６】
このように、本実施の形態によれば、ストレートカバー部の少なくともひとつを回転移動することで、配線引き出しのための通線口ｈの位置を容易に調整することができる。
【００２７】
（実施の形態２）
前記実施の形態１では、カバー部材９のうちストレートカバー部１１にのみ第１の穴部を形成する例について説明したが、実施の形態２として、図７および図８に示すように、第１及び第２の穴部に加えて、ストレートカバー部１１とクロスカバー部１０との間に半円状の第３及び第４の穴部ｈ３、ｈ４を形成し、通線口ｈを形成し得るようにしてもよい。
図７は配線ケーブルを引き出すための通線口を形成しない状態、図８は配線ケーブルを引き出すための通線口を形成した状態を示す。
かかる構成によれば、カバー部材を回動することで複数の配線ケーブル取り出し位置を形成するように調整することができ種々の対応が可能である。
【００２８】
（実施の形態３）
前記実施の形態１では、カバー部材９のうちストレートカバー部１１にのみ第１の穴部を形成する例について説明したが、実施の形態３として、図９および図１０に示すように、ストレートカバー部１１の一つが３つに分割され、それぞれは１つの半円状の第１の穴部ｈ１を有するカバー片１１ａ、１１ｂ、１１ｃで構成され、カバー片が回動可能に構成されている。そして、通線口は、これらカバー片１１ａ、１１ｂ、１１ｃの内のカバー片１１ｂを矢印の方向に回動することによって形成されるようにしたことを特徴とする。
図９は配線ケーブルを引き出すための通線口を形成しない状態、図１０は配線ケーブルを引き出すための通線口を形成した状態を示す。
かかる構成によれば、動かす対象がカバー片であり、小さいために、取扱が容易である。
【００２９】
（実施の形態４）
前記実施の形態３では、カバー片を回動することで通線口ｈを形成する例について説明したが、実施の形態４として、図１１および図１２に示すように、ストレートカバー部１１の一つが３つに分割され、それぞれは１つの半円状の第１の穴部ｈ１を有するカバー片１１ａ、１１ｂ、１１ｃで構成され、カバー片が変位可能に構成されている。そして、通線口ｈは、これらカバー片１１ａ、１１ｂ、１１ｃのうちカバー片１１ａ、１１ｂの位置を入れ替えることによって形成されるようにしたことを特徴とする。
図１１は配線ケーブルを引き出すための通線口を形成しない状態、図１２は配線ケーブルを引き出すための通線口を形成した状態を示す。
かかる構成によっても、動かす対象がカバー片であり、小さいために、取扱が容易である。
【００３０】
（実施の形態５）
前記実施の形態１乃至４では、カバー部材がストレートカバー部とクロスカバー部で構成される例について説明したが、本実施の形態では、図１３に示すように、カバー部材がクロスカバー部１０で構成される例について説明する。クロスカバー部１０の側縁に半円状の第１の穴部ｈ１を形成しておき、クロスカバー部１０を回転することで単量体に形成された第２の穴部ｈ２と符合するようにし、通線口ｈを形成するものである。
【００３１】
この構成により、通線口の形成位置に自由度を高めつつ、部品点数を少なくすることができる。
【００３２】
なお、前記実施の形態では、カバー部材を剛性の樹脂で構成したが、可撓性樹脂で構成してもよい。これにより、若干の位置ずれの吸収も可能であり、所望の位置のストレートカバー部を折り曲げることで容易に回動することが可能となる。
また穴部の形成位置については適宜変更可能である。
【符号の説明】
【００３３】
１  配線用床材
２  配線用溝
３  天板付き単位体
５  天板
６  脚部
９  カバー部材
１０  クロスカバー部
１１  ストレートカバー部
１１ａ、１１ｂ、１１ｃ  カバー片
６０  分電室
１０１  引き出し穴
１０３  天板付き単位体
１１０  クロスカバー部
１１１  ストレートカバー部
【図１】
2011047156.tif 000003
【図２】
2011047156.tif 000004
【図３】
2011047156.tif 000005
【図４】
2011047156.tif 000006
【図５】
2011047156.tif 000007
【図６】
2011047156.tif 000008
【図７】
2011047156.tif 000009
【図８】
2011047156.tif 000010
【図９】
2011047156.tif 000011
【図１０】
2011047156.tif 000012
【図１１】
2011047156.tif 000013
【図１２】
2011047156.tif 000014
【図１３】
2011047156.tif 000015
【図１４】
2011047156.tif 000016
【図１５】
2011047156.tif 000017
【図１６】
2011047156.tif 000018
【図１７】
2011047156.tif 000019
【図１８】
2011047156.tif 000020
【図１９】
2011047156.tif 000021
【図２０】
2011047156.tif 000022
【図２１】
2011047156.tif 000023
【図２２】
2011047156.tif 000024